【手続補正書】
【提出日】平成19年4月27日(2007.4.27)
【手続補正１】
【補正対象書類名】特許請求の範囲
【補正対象項目名】全文
【補正方法】変更
【補正の内容】
【特許請求の範囲】
【請求項１】
可動シャフトに沿う流体洩れを防ぐためのダイナミックシーリング編成を提供する装置であって：
ハウジングを貫通する前記可動シャフトを収納するハウジングと；
前記シャフトに係合する、前記ハウジング内の第１シールと；
前記第１シールと離間した関係で、前記シャフトに係合する、前記ハウジング内の第２シールと；
前記第１および第２シール間に収容されるバリア封止剤と；
前記第１および第２シール間に収容された前記バリア封止剤を与圧するようになされた負荷部材と；
前記第２シールと離間した関係で、前記シャフトに係合する、前記ハウジング内の第３シールと；
前記第２および前記第３シール間の、前記ハウジング内の回収領域と；
前記回収領域を出力ポートへ接続する、前記ハウジング内の回収路とを備える；
装置。
【請求項２】
前記出力ポートへ接続されたセンサ機構を更に備え、前記センサ機構は、前記第２シールを通過する流体および／またはバリア封止剤の洩れを検知するようになされる；
請求項１の装置。
【請求項３】
前記出力ポートに栓をする栓を更に備える；
請求項１の装置。
【請求項４】
前記出力ポートへ装着され、外部汚染物質が前記第２シールに作用することを防ぐ通気フィルタを更に備える；
請求項１の装置。
【請求項５】
前記回収路と流体連通し、前記回収領域から前記出力ポートへの一方向流れを許容するように編成された圧力逃し弁を更に備える；
請求項１の装置。
【請求項６】
前記第３シールは周囲環境へ曝される外部シールであり、前記第１および第２シールは前記外部シールによって前記周囲環境から保護された内部シールである；
請求項１の装置。
【請求項７】
前記負荷部材は、前記シールおよび前記シャフトから離されて、前記流体の圧力を受けるように編成されたピストンを備え；
前記ピストンを前記第１および第２シール間のバリア封止剤へ接続する封止剤流路を更に備える；
請求項１の装置。
【請求項８】
前記ハウジングは、前記ダイナミックシーリング編成を支持するための、およびリザーバを形成するための単一の単体本体を備えるシールブロック部材であり、前記シールブロック部材は弁本体へ装着され、前記弁本体内に、前記シャフトと一体の弁を更に備える；
請求項１の装置。
【請求項９】
前記シールブロック部材は、前記第１、第２、および第３シールを収納する穴を画成し；
前記シャフトの回りに同軸で前記第１および第２シールを隔てる第１スペーサと、前記シャフトの回りに同軸で前記第２および第３シールを隔てる第２スペーサとを含むラジアル方向貫通ポートを有するスペーサと；
前記シールおよびスペーサを前記穴内に固定するリテーナ機構とを更に備える；
請求項８の装置。
【請求項１０】
前記第１、第２および第３シールは、エラストマーシール本体と、前記エラストマーシール本体にラジアル方向外向きの力を及ぼす内部ばね機構とを備えるラジアル方向ワイパーシールであり、前記ワイパーシールの各々は前記シャフトに対してラジアル方向内向きに、そして前記シールブロック部材に対してラジアル方向外向きにシールする；
請求項９の装置。
【請求項１１】
流体洩れを防ぐためのダイナミックシーリング編成を有する装置であって、該装置は、前記流体を連通させるための流体路を画成する弁本体と、前記弁本体内にあって前記流体の流れを調整するための弁と、前記弁へ一体的に接続されたシャフトとを含み：
前記弁本体へ装着するシールブロック部材であって、前記ダイナミックシーリング編成を支持するための、およびリザーバを形成するための単一の単体本体であり、前記シャフトをスライド可能に収納するようになされたシャフト穴を画成するシールブロック部材と；
前記シールブロック部材によって支持され、前記シャフトにシールしながら係合するようになされた第１シールと；
前記シールブロック部材によって支持され、前記第１シールと離間した関係で前記シャフトにシールしながら係合するようになされた第２シールと；
前記シャフト穴に対して離された位置で、前記シールブロック部材内に形成されたピストンチャンバであって、バリア封止剤を収容するピストンチャンバと；
前記離された位置で前記ピストンチャンバ内をスライド可能なピストンであって、前記流路へ曝されるように編成されたピストン面を有するピストンと；
前記シールブロック部材によって画成され、バリア封止剤の連通のために前記ピストンチャンバを前記第１および第２シールとの間に画成されたバリア封止剤領域へ接続するバリア封止剤流路とを備える；
装置。
【請求項１２】
前記シールブロック部材へ装着され、前記ピストンチャンバを封止するエンドキャップを更に備える；
請求項１１の装置。
【請求項１３】
前記ピストンへ一体的に接続され、前記エンドキャップを貫通して延びるレベル表示器ステムを更に備える；
請求項１２の装置。
【請求項１４】
前記レベル表示器ステムは、前記ピストンチャンバ内の前記バリア封止剤のレベルを表示するための目盛手段を備える；
請求項１３の装置。
【請求項１５】
前記シールブロック部材内に画成され、前記ピストンチャンバへ接続された取入ポートと、前記取入ポート内へ装着された封止剤注入取付部品を更に備える；
請求項１３の装置。
【請求項１６】
前記エンドキャップと前記シールブロック部材との間に配設され、その間の洩れを防ぐための第１キャップシールと、前記エンドキャップによって支持され、前記レベル表示器ロッドにシールしながら係合し、その間の洩れを防ぐための第２キャップシールとを更に備える；
請求項１３の装置。
【請求項１７】
前記ハウジングによって支持され、前記第２シールと離間した関係で前記シャフトにシールしながら係合する第３シールと、前記第２と前記第３シールとの間の前記ハウジング内の回収領域と、前記シールブロック部材内に画成され、前記回収領域を出力ポートへ接続する回収路とを更に備える；
請求項１１の装置。
【請求項１８】
前記回収領域は、前記シールブロック部材内へ形成された環部を備える；
請求項１７の装置。
【請求項１９】
前記シールブロック部材は、前記第１、第２、および第３シールを収納する穴を画成し；
前記シャフトの回りに同軸で前記第１および第２シールを隔てる第１スペーサと、前記シャフトの回りに同軸で前記第２および第３シールを隔てる第２スペーサとを含むラジアル方向スルーポートを有するスペーサと；前記シールおよびスペーサを前記穴内に固定するリテーナ機構とを更に備える；
請求項１７の装置。
【請求項２０】
前記第１、第２および第３シールは、エラストマーシール本体と、前記エラストマーシール本体にラジアル方向外向きの力を及ぼす内部ばね機構とを備えるラジアル方向ワイパーシールであり、前記ワイパーシールの各々は前記シャフトに対してラジアル方向内向きに、そして前記シールブロック部材に対してラジアル方向外向きにシールする；
請求項１９の装置。
【請求項２１】
ハウジング内に形成された穴を貫通する可動シャフトに沿う流体洩れを防ぐためのダイナミックシール組立体であって：
前記可動シャフトに沿いアキシャル方向に離間した関係で編成されるように構成された少なくとも３つのシールと；前記少なくとも３つのシールの内の２つをアキシャル方向で隔てるための、そして前記第１および第２シール間に与圧したバリア封止剤を連通するための第１スペーサ手段と；前記少なくとも３つのシールの内の２つをアキシャル方向に隔てるための、そして前記シールの洩れを回収するための回収領域を画成するのを支援するための第２スペーサ手段とを備える；
ダイナミックシール組立体。
【請求項２２】
前記シール組立体を成形された穴内に固定するための手段を更に備える；
請求項２１のダイナミックシール組立体。
【請求項２３】
前記シールの内の隣接するシール間に編成された複数のシールリテーナ要素と、前記シールリテーナ要素をアキシャル方向に係合するためのスペーサ手段とを更に備える；
請求項２１のダイナミックシール組立体。
【請求項２４】
前記少なくとも３つのシールは、ラジアル方向外向きのラジアル方向シールと、ラジアル方向内向きのラジアル方向シールとを提供するワイパーシールを備える；
請求項２１のダイナミックシール組立体。
【請求項２５】
前記少なくとも３つのシールの各々は、略Ｕ字状のエラストマー部材と、略Ｕ字状のエラストマー部材の対向脚部にラジアル方向外向きの力を付勢する略Ｕ字状のバネ部材とを備える；
請求項２４のダイナミックシール組立体。